(57)【要約】【課題】ケース内に導入される電源ケーブルの効果的な配線処理が可能な電源分岐装置を提供する。【解決手段】本発明は、細長のケース１と、このケース１内にケース１の長手方向に沿って配設されたブレーカ２及びこのブレーカ２を介して給電される複数のコンセント３と、前記ケース１の前記ブレーカ２の入力端子部２２に対向する一側面に、前記ブレーカ２の外殻と前記ケース１の内壁との間に配線スペースＳを形成するように前記ブレーカ２の入力端子部２２と位置をずらせて形成された電源ケーブル導入口１３と、この電源ケーブル導入口１３からケース１内に導入され、前記ブレーカ２の入力端子部２２に電気的に接続される電源ケーブル４とを備える電源分岐装置である。【選択図】図２
2012069443.tif 000002
【特許請求の範囲】
【請求項１】
細長のケースと；
このケース内にケースの長手方向に沿って配設されたブレーカ及びこのブレーカを介して給電される複数のコンセントと；
前記ケースの前記ブレーカの入力端子部に対向する一側面に、前記ブレーカの外殻と前記ケースの内壁との間に配線スペースを形成するように前記ブレーカの入力端子部と位置をずらせて形成された電源ケーブル導入口と；
この電源ケーブル導入口からケース内に導入され、前記ブレーカの入力端子部に電気的に接続される電源ケーブルと；
を具備することを特徴とする電源分岐装置。
【請求項２】
前記ケースは、前記ブレーカの操作部及び前記コンセントのプラグ差込口を露出させる開口部を一面側に有する第１の部材と、第１の部材と組合わされる第２の部材とを備えていて、前記ブレーカ、複数のコンセント及び電源ケーブルは、第１の部材に取付けられていることを特徴とする請求項１に記載の電源分岐装置。
【発明の詳細な説明】
【技術分野】
【０００１】
本発明の実施形態は、ブレーカ及び複数のコンセントを備えた電源分岐装置に関する。
【背景技術】
【０００２】
従来、例えば、舞台やテレビスタジオ等においては、演出空間を効果的に照明するため、様々な照明機器が演出空間の各所に配置される。このため、これら各所に配置された照明機器に電源を供給するのに、いわゆるプラグインボックス（電源分岐装置）が用いられている。このプラグインボックスは、可搬型であり電源ケーブルが接続された複数のコンセントを備えていて、この複数のコンセントから電源が分岐されて各照明機器に電源を供給できるようになっている。
【先行技術文献】
【非特許文献】
【０００３】
【非特許文献１】東芝ライテック／アートライティング／製品カタログ／配線器具／プラグインボックス［平成22年9月15日検索］（http://www.tlt.co.jp/tlt/art/catalogue/connectors/h.htm）
【発明の概要】
【発明が解決しようとする課題】
【０００４】
しかしながら、上記のようなプラグインボックスでは、ボックス内に導入される電源ケーブルの効果的な配線処理についての考慮が十分になされているとはいえない。
本発明は、上記課題に鑑みなされたもので、ケース内に導入される電源ケーブルの効果的な配線処理が可能な電源分岐装置を提供することを目的とする。
【課題を解決するための手段】
【０００５】
本発明の一実施形態による電源分岐装置は、細長のケースと、このケース内にケースの長手方向に沿って配設されたブレーカ及びこのブレーカを介して給電される複数のコンセントとを備えている。前記ケースの前記ブレーカの入力端子部に対向する一側面に、前記ブレーカの外殻と前記ケースの内壁との間に配線スペースを形成するように前記ブレーカの入力端子部と位置をずらせて電源ケーブル導入口が形成されている。電源ケーブルは、  電源ケーブル導入口からケース内に導入され、前記ブレーカの入力端子部に電気的に接続されている。
【発明の効果】
【０００６】
本発明の一実施形態によれば、ケース内に導入される電源ケーブルの効果的な配線処理が可能な電源分岐装置を提供することができる。
【図面の簡単な説明】
【０００７】
【図１】本発明の実施形態に係る電源分岐装置を示す斜視図である。
【図２】同電源分岐装置を示す上面図である。
【図３】同電源分岐装置を示す右側面図である。
【図４】同電源分岐装置示す断面図である。
【図５】同電源分岐装置において、ケースの蓋体部を取外し、内部構造を示す斜視図である。
【図６】同電源分岐装置の組立工程において、ブレーカの取付状態を示す斜視図である。
【図７】同電源分岐装置の結線状態を示す配線図である。
【図８】同電源分岐装置を示す回路図である。
【発明を実施するための形態】
【０００８】
以下、本発明の実施形態に係る電源分岐装置ついて図１乃至図８を参照して説明する。なお、各図において同一部分には同一符号を付し、重複した説明は省略する。また、図２及び図４においては、配線接続関係の図示を省略している。
図１乃至図４に示すように、電源分岐装置は、ケース１と、このケース１内に配設されたブレーカ２及びコンセント３と、電源ケーブル４とを備えている。
【０００９】
ケース１は、第１の部材としての本体部１１と第２の部材としての蓋体部１２とから構成されており、薄鋼鈑によって略直方体形状に細長に形成されている。本体部１１は、上面１１ａと、この上面１１ａの両端から垂下するように折曲して形成された左右側面１１ｂ、１１ｃとからなっている（図５を併せて参照）。本体部１１の上面１１ａには、後述するブレーカ２の操作部２１及びコンセント３のプラグ差込口３１を露出させる開口部１１ａ１が形成されている。また、上面１１ａの内側には、一対のブレーカ取付用のスタッド１１ｄ及び複数のコンセント取付用のスタッド１１ｅが立設されている。さらに、一対のブレーカ取付用のスタッド１１ｄ間には、取付板１１ｆがねじ止めされて設けられ、右側面１１ｃの端部には、取付片１１ｇが設けられている。
【００１０】
本体部１１の右側面１１ｃには、電源ケーブル導入口１３が形成されていて、この導入口１３には、電源ケーブル４が導入されるようになっている。さらに、電源ケーブル導入口１３の上方には、略コ字状に形成された把手１４が幅方向に亘って設けられている。
【００１１】
蓋体部１２は、本体部１１の開放部分を覆うように樋状に形成されており、底面１２ａ、前面１２ｂ及び背面１２ｃ有して本体部１１にねじ止めされて取付けられている。また、底面１２ａには、４つの脚１２ｄが設けられている。
【００１２】
このように本体部１１と蓋体部１２とが組合わされて直方体形状の細長のケース１が構成されており、このケース１の長手方向に沿ってブレーカ２及び複数のコンセント３が配設されている。
【００１３】
ブレーカ２は、図５及び図６の参照を加えて説明するように、定格電流３０Ａのものが２個用いられており、過電流が流れたときに回路を遮断する機能を有している。ブレーカ２は、略箱状の外殻をなしていて、操作部２１と入力端子部２２とを備えている。これら２個のブレーカ２は、平行に組み合わされて、ブレーカ取付板２３によって一体化されている。また、２個のブレーカ２の入力端子部２２は、導電バー２４によって接続されており、この導電バー２４の一端部には、電源ケーブル４が接続されるようになっている（主として図２及び図６参照）。
【００１４】
このように構成されたブレーカ２は、ケース１の本体部１１の内側、すなわち、裏側から本体部１１の右側面１１ｃ近傍に取付けられるようになっている。具体的には、ブレーカ取付板２３一端側が取付片１１ｇにねじ止めされ、他端側がブレーカ取付用のスタッド１１ｄ間の取付板１１ｆにねじ止めされて取付けられるようになっている。
【００１５】
このブレーカ２の取付状態においては、その操作部２１、すなわち、操作ハンドルは本体部１１の上面１１ａにおける開口部１１ａ１から操作可能なように露出しているが、上面１１ａからは突出しないように配置されている（図１及び図４参照）。これによって、操作ハンドルの不用意な誤操作を防止することができる。
【００１６】
コンセント３は、Ｃ型コンセントが複数個、具体的には、４個用いられており、プラグ差込口３１が本体部１１の上面１１ａの開口部１１ａ１から露出するように並べられて配置されている。このコンセント３は、ケース１の上面１１ａにおける内側に立設されたコンセント取付用のスタッド１１ｅにボルト締めして取付けられている。さらに、これら複数個のコンセント３のニュートラル端子（Ｎ）には、各ニュートラル端子（Ｎ）を接続する導電バー３２が取付けられている（図４及び図５参照）。
【００１７】
電源ケーブル４は、３本の導線４１を有する３芯のキャブタイヤケーブルであり、約５ｍの長さを有していて、一端側がケース１の電源ケーブル導入口１３に導入され、他端側にはＣ型プラグ４２が接続されている。このＣ型プラグ４２は、商用交流電源に接続されるようになっている。３本の導線４１は、ライブライン（Ｌ）、ニュートラルライン（Ｎ）及びアースライン（Ｅ）として用いられる。
【００１８】
以上のような構成において、ブレーカ２、コンセント３及び電源ケーブル４の各部品は、全て第１の部材としての本体部１１に取付けられるようになっている。また、図５及び図６に代表して示すように、各部品は、一方向、つまり、本体部１１の裏側から取付けることができるようになっている。したがって、組立作業の効率化が可能となる。
【００１９】
さらに、ケース１の本体部１１における上面１１ａ上には、ブレーカ２やコンセント３を取付けるための例えば、ねじ等の固定手段が現れることがないのでデザイン性の向上を図ることができる。
【００２０】
次に、図５乃至図８を参照して電源ケーブル４の配線接続関係について説明する。まず、図８の回路図に示すように、電源側のライブライン（Ｌ）は、２個のブレーカ２の入力側端子に接続されている。そして、各ブレーカ２の出力側の端子は、２個のコンセント３の入力側端子に接続されている。したがって、１個のブレーカ２の出力側の端子から２つに分岐されて２個のコンセント３の入力側端子に接続されている。
【００２１】
ニュートラルライン（Ｎ）は、各コンセント３の出力側の端子に接続されている。また、アースライン（Ｅ）は、各コンセント３に接続されて接地されるようになっている。
このような電源分岐装置は、定格電流３０Ａのブレーカ２が２個並列に接続されており、最大入力電流が６０Ａの仕様となっている。
【００２２】
さらに、実態的には、図５及び図７に示すように、電源ケーブル４の３本の導線４１のうち、電源ケーブル導入口１３からケース１内に導入されたライブライン（Ｌ）は、ブレーカ２の入力端子部２２、具体的には、各ブレーカ２の共通の端子である導電バー２４に接続され、その各ブレーカ２の出力端子がそれぞれ２個のコンセント３の入力側端子に接続されている。
【００２３】
一方、ニュートラルライン（Ｎ）は、電源ケーブル導入口１３から導入され、各コンセント３のニュートラル端子（Ｎ）に接続された導電バー３２に接続されている。さらに、アースライン（Ｅ）は、ケース１内に設けられたターミナルＴを介して、各コンセント３のアース端子に接続されている。
【００２４】
以上のような配線接続関係において、例えば、ブレーカ２のケース１への取付工程では、図６に示すように、まず、電源ケーブル導入口１３から導入された電源ケーブル４におけるライブライン（Ｌ）の導線４１をブレーカ２の導電バー２４に接続する。その後、ブレーカ２を所定の位置に取付ける。
【００２５】
この場合、図２に代表して示すように、電源ケーブル導入口１３とブレーカ２の外殻、つまり、入力端子部２２とは、所定の寸法ｄ、ずれて位置するようになっているので、ブレーカ２の外殻とケース１の内壁との間に導線４１の余剰長さ分（たるみ分）を配線する配線スペースＳが確保でき、この配線スペースＳに導線４１の余剰長さ分を折曲して配線することができる。しかも、この場合、前記ずれて位置するようになっていることにより、導線４１の主として電源ケーブル導入口１３近傍の屈曲度が軽減され、導線４１に無理な応力が作用するのを抑制できる。
【００２６】
したがって、狭隘なケース１内の空間において効果的な配線処理が可能となる。なお、このような効果的な配線処理は、ニュートラルライン（Ｎ）及びアースライン（Ｅ）の導線４１についても同様に期待できる。つまり、ニュートラルライン（Ｎ）及びアースライン（Ｅ）の導線４１の場合も配線接続にあたっては、配線代（余剰長さ）が必要であり、これを配線スペースＳに配線することが可能となる。
【００２７】
以上のように本実施形態の電源分岐装置によれば、電源ケーブル４のＣ型プラグ４２を商用交流電源に接続し、コンセント３のプラグ差込口３１に例えば、照明機器のプラグを接続することにより、電源が分岐されてコンセント３に接続された各照明機器に電源が供給されるようになる。
【００２８】
さらに、把手１４を把持して所望の場所に持ち運びが可能である。この場合、把手１４は、電源ケーブル４の上方に設けられているので、把持に際し、電源ケーブル４が邪魔になることを回避できる。一方、電源ケーブル４は、下方に位置しているので、垂れ下りを少なくして、使用中、電源ケーブル４を安定して配置することが可能となる。
【００２９】
また、電源ケーブル導入口１３とブレーカ２の入力端子部２２とは、ずれて位置するようになっているので装置の小型化が実現できるとともに効果的な配線処理が可能となる。
【００３０】
さらにまた、ブレーカ２、コンセント３及び電源ケーブル４の各部品は、全て第１の部材としての本体部１１に集結して取付けられるようになっており、加えて、各部品は、一方向から取付けることができるようになっていて、その配線接続も一方向から行えるので組立作業の効率化が可能となる。
【００３１】
また、ケース１の本体部１１における上面１１ａ上には、ブレーカ２やコンセント３を取付けるための例えば、ねじ等の固定手段が現れることがないのでデザイン性の向上を図ることができる。
【００３２】
なお、本発明は、上記実施形態の構成に限定されることなく、発明の要旨を逸脱しない範囲で種々の変形が可能である。例えば、ブレーカ、コンセントや電源ケーブルは、特定の形式のものに限定されるものではない。また、ブレーカ及びコンセントの配設個数は、格別限定されるものではない。
【符号の説明】
【００３３】
１・・・ケース、２・・・ブレーカ、３・・・コンセント、４・・・電源ケーブル、
１１・・・第１の部材（本体部）、１１ａ１・・・開口部、
１２・・・第２の部材（蓋体部）、１３・・・電源ケーブル導入口、１４・・・把手、
２１・・・操作部、２２・・・入力端子部、３１・・・プラグ差込口、
４１・・・導線、Ｓ・・・配線スペース
【図１】
2012069443.tif 000003
【図２】
2012069443.tif 000004
【図３】
2012069443.tif 000005
【図４】
2012069443.tif 000006
【図５】
2012069443.tif 000007
【図６】
2012069443.tif 000008
【図７】
2012069443.tif 000009
【図８】
2012069443.tif 000010